(57)【要約】【課題】光通信ケーブルの皮膜素材に寄らずに、光通信ケーブルを通過する可視光を外側から認識することが可能な光通信ケーブル用アダプタを提供する。【解決手段】一対の光通信ケーブル用コネクタの端子を連接するアダプタ本体１０と、アダプタ本体１０の両端部の差込部１０Ａを開口させた状態でアダプタ本体１０を覆うカバー部材１２と、を備えた光通信ケーブル用アダプタにおいて、前記カバー部材１２の周面には、光通信ケーブル２０Ａ、２０Ｂに可視光を通した際に光通信ケーブル用コネクタ２２から漏れる可視光が漏れるように前記差込部１０Ａの開口１２Ａ、１２Ｂに連続する切欠き部１８Ａ、１８Ｂ又は前記差込部１０Ａの開口１２Ａ、１２Ｂに連続しない孔２４が形成されていることを特徴とする。【選択図】図２
2007226112.tif 000002
【特許請求の範囲】
【請求項１】
一対の光通信ケーブル用コネクタの端子を連接するアダプタ本体と、アダプタ本体の両端部の差込部を開口させた状態でアダプタ本体を覆うカバー部材と、を備えた光通信ケーブル用アダプタにおいて、
前記カバー部材の周面には、光通信ケーブルに可視光を通した際に光通信ケーブル用コネクタから漏れる可視光が漏れるように前記差込部の開口に連続する切欠き部又は前記差込部の開口に連続しない孔が形成されていることを特徴とする光通信ケーブル用アダプタ。
【請求項２】
一対の光通信ケーブル用コネクタの端子を連接するアダプタ本体と、アダプタ本体の両端部の差込部を開口させた状態でアダプタ本体を覆うカバー部材と、を備えた光通信ケーブル用アダプタにおいて、
前記カバー部材の一部又は全部は、光通信ケーブルに可視光を通した際に光通信ケーブル用コネクタから漏れる可視光が外部から認識可能な透光性素材で形成されていることを特徴とする光通信ケーブル用アダプタ。
【発明の詳細な説明】
【技術分野】
【０００１】
本発明は、二つの光通信ケーブル用コネクタを連接する光通信ケーブル用アダプタに関する。
【背景技術】
【０００２】
従来から、二本の光通信ケーブルの接合は、各光通信ケーブルの端部に設けられた光通信ケーブル用コネクタを光通信ケーブル用アダプタの両端に接続することによって、行われている。この光通信ケーブル用アダプタは、一般に一対の光通信ケーブル用コネクタの端子を連接するアダプタ本体と、アダプタ本体の両端部の差込部を開口させた状態でアダプタ本体を覆うカバー部材と、を備えている（特許文献１参照）。このような光通信ケーブル用アダプタ３０は、図６に示すように複数の光通信用アダプタ３０を装着可能な端子盤３２に並列されて設置されている。
【０００３】
一方、通信事業者は、光通信設備に関して保守点検などを行わなければならず、廃線などとなった光通信ケーブル３４のコネクタ３６をアダプタ３０から引き抜かなければならない場合がある。この場合、端子盤３２に設置されたいずれのアダプタ３０からコネクタ３６を引き抜かなければならないかは、作業図の記載などに基づいて決定されるが、これは、人的作業であるため、誤ってコネクタ３６を引き抜いてしまう場合があり、また、作業図自体が誤っている場合がある。
【０００４】
誤ったコネクタ３６を引き抜いた場合、警報などが鳴るため、作業者は、直ぐに気付き、差し戻すことができるが、短時間であるが、断線してしまうため、問題である。また、引き抜くコネクタ３６の光通信ケーブル３４に可視光を通して、光通信ケーブル３４の外側から可視光を認識して、引き抜くコネクタ３６を決定する方法がある。
【０００５】
【特許文献１】特開平５−１１９２３３号公報
【発明の開示】
【発明が解決しようとする課題】
【０００６】
しかしながら、光通信ケーブルの中には、通過する可視光を外側から認識することができない被膜素材を用いているものがあるので、上述の可視光を通して引抜対象のコネクタを決定する方法は、全ての光通信ケーブルに適用できないという問題がある。
【０００７】
そこで、本発明は、光通信ケーブルの皮膜素材に寄らずに、光通信ケーブルを通過する可視光を外側から認識することが可能な光通信ケーブル用アダプタを提供することを目的とする。
【課題を解決するための手段】
【０００８】
以上の目的を達成するため、本発明は、一対の光通信ケーブル用コネクタの端子を連接するアダプタ本体と、アダプタ本体の両端部の差込部を開口させた状態でアダプタ本体を覆うカバー部材と、を備えた光通信ケーブル用アダプタにおいて、前記カバー部材の周面には、光通信ケーブルに可視光を通した際に光通信ケーブル用コネクタから漏れる可視光が漏れるように前記差込部の開口に連続する切欠き部又は前記差込部の開口に連続しない孔が形成されていることを特徴とする。
【０００９】
また、本発明は、一対の光通信ケーブル用コネクタの端子を連接するアダプタ本体と、アダプタ本体の両端部の差込部を開口させた状態でアダプタ本体を覆うカバー部材と、を備えた光通信ケーブル用アダプタにおいて、前記カバー部材の一部又は全部は、光通信ケーブルに可視光を通した際に光通信ケーブル用コネクタから漏れる可視光が外部から認識可能な透光性素材、例えば透明素材又は半透明素材で形成されていることを特徴とする。
【００１０】
本発明に係る光通信ケーブル用アダプタにおいて、光通信ケーブルに可視光を通すと、光通信ケーブル用コネクタから可視光が漏れ、その漏れた可視光は、前記差込部の開口に連続する切欠き部又は前記差込部の開口に連続しない孔から漏れ、又は透光性素材の部分から透光するので、作業者は、通した可視光を外側から認識することができない皮膜素材からなる光通信ケーブルを用いた場合であっても、可視光を通した光通信ケーブルのアダプタを認識することができる。
【発明の効果】
【００１１】
以上のように本発明によれば、光通信ケーブルの皮膜素材に寄らずに、光通信ケーブルを通過する可視光を外側から認識することが可能な光通信ケーブル用アダプタを提供することができる。
【発明を実施するための最良の形態】
【００１２】
次に、本発明に係る光通信ケーブル用アダプタの実施例について図面に基づいて説明する。図１は、本実施例に係る光通信ケーブル用アダプタの一部切欠き側面図であり、図２は、本実施例に係る光通信ケーブル用アダプタの平面図である。本実施例に係る光通信ケーブル用アダプタは、図１及び２に示すように一対の光通信ケーブル用コネクタの端子を連接するアダプタ本体１０と、アダプタ本体１０の両端部の差込部１０Ａを開口させた状態でアダプタ本体１０を覆うカバー部材１２と、を備えている。
【００１３】
カバー部材１２は、矩形状に形成されており、一側面には、前記差込部１０Ａを開口させる開口１２Ａに連続するスリット１４が、開口１２Ａ、１２Ａのいずれ側にも形成されている。光通信ケーブル用コネクタ１６が開口１２Ａに挿入される際に、コネクタ１６の側面に形成された突出部１６Ａがスリット１４に挿入され、コネクタ１６の本体がアダプタ本体１０に接続されるのを誘導するように構成されている。
【００１４】
また、カバー部材１２の上面及び下面には、一方の開口１２Ａに連続する切欠き１８Ａ、１８Ｂが形成されている。この切欠き１８Ａ、１８Ｂは、本実施例に係る光通信ケーブル用アダプタに差込まれたコネクタに接続された光通信ケーブルに可視光を通した際に、その光通信ケーブル用コネクタから漏れる可視光が、その切欠き１８Ａ、１８Ｂから漏れるように形成されている。
【００１５】
次に、本実施例に係る光通信ケーブル用アダプタの作用について図３に基づいて説明する。先ず、作業図に基づいて、廃線とする末端の光通信ケーブル２０Ａを引き抜く（図３（ａ）及び（ｂ）参照）。次いで、光通信ケーブル２０Ａが引き抜かれた光通信ケーブル用アダプタ２の端部２Ａから可視光線（Ａ）を照射すると（図３（ｃ）参照）、その光通信ケーブル用アダプタ２の他端２Ｂに接続された光通信ケーブル２０Ｂの反対側端部のコネクタ２２から可視光が漏れ、その漏れた可視光が本実施例に係る光通信ケーブル用アダプタ４の切欠き１８Ａ、１８Ｂから漏れる（図３（ｄ）のＢ参照）。これにより、作業者は、引抜対象の光通信ケーブルを認識することができる。次いで、順次、端部から可視光線を照射することによって、引抜対象の光通信ケーブルを認識することができる。
【００１６】
なお、本実施例に係る光通信ケーブル用アダプタにおいては、開口１２Ａに連続する切欠き１８Ａ、１８Ｂを形成したが、図４に示すように開口１２Ａに連続しない孔２４を形成しても良く、また図５に示すように開口１２Ａに連続する一部を透明素材など透光性素材で形成しても良く、さらにカバー部材１２全体を透光性素材で形成しても良い。
【図面の簡単な説明】
【００１７】
【図１】本発明に係る光通信ケーブル用アダプタの実施例の一部切欠き側面図である。
【図２】本実施例に係る光通信ケーブル用アダプタの平面図である。
【図３】本実施例に係る光通信ケーブル用アダプタの作用工程を示す図である。
【図４】本発明に係る光通信ケーブル用アダプタの他の実施例の平面図である。
【図５】本発明に係る光通信ケーブル用アダプタの他の実施例の平面図である。
【図６】従来の光通信ケーブル用アダプタを端子に併設された状態を示す斜視図である。
【符号の説明】
【００１８】
１０   アダプタ本体
１０Ａ 差込部
１２   カバー部材
１８Ａ、１８Ｂ       切欠き
２０   光通信ケーブル
２２   光通信ケーブル用コネクタ
２４   孔
【図１】
2007226112.tif 000003
【図２】
2007226112.tif 000004
【図３】
2007226112.tif 000005
【図４】
2007226112.tif 000006
【図５】
2007226112.tif 000007
【図６】
2007226112.tif 000008